(57)【特許請求の範囲】
【請求項１】
車椅子本体と、前記車椅子本体の前方両側へそれぞれ設けられて足を足のせ位置にて載置する一対のフットレストを備え、少なくとも前後方向へ移動する車椅子において、
各前記フットレストは、中央片の両端から突設された一片及び他片とで略コ字型に形成されたフットレストフレームと、前記フットレストフレームの一片及び他片の基端部間に架設された足のせ部とを設け、前記他片の先端部が車椅子本体から前方へ向かって突設された突出管の管内部に出入りして、互いに独立して前後方向へ移動可能となるよう形成され、
前記フットレストフレームは、前記足のせ部が略水平状態又は略垂直状態に位置するよう前記他片が前記車椅子本体の突出管に回動自在に支持されたことを特徴とする車椅子。
【請求項２】
前記略水平状態に位置した足のせ部が所定寸法を超えて移動することを阻止する移動阻止手段は、前記フットレストフレームに設けられたことを特徴とする請求項１記載の車椅子。
【請求項３】
前記移動阻止手段は、底部に貫通孔を設けた有底筒状に形成されて前記車椅子本体から前方へ向かって突設された突出管の一端部に固定された固定管と、前記フットレストフレームの他片に前記所定寸法の間隔で突設されて、前記足のせ部が略垂直状態及び前記略水平状態でそれぞれ前記貫通孔に挿通及び前記底部に当接する当接ピンとでもって形成されたことを特徴とする請求項２記載の車椅子。
【請求項４】
長軸及び短軸を有して断面扁平状に形成された前記フットレストフレームの他片は、前記短軸に沿った外周部が前記突出管の内周壁に支持されるとともに、前記長軸が前記足のせ部の水平状態及び垂直状態でそれぞれ略垂直及び略水平に位置するよう配置されたことを特徴とする請求項１記載の車椅子。
【請求項５】
前記フットレストフレームの他片は前記短軸に沿った外周部が、略円形状に形成された前記突出管の内周壁に摺動するよう断面円弧状に形成されたことを特徴とする請求項４記載の車椅子。
【請求項６】
前記足のせ部の水平状態及び垂直状態で前記長軸に沿った他片の外周部一端部にそれぞれ当接する当接突起は、前記突出管の内周壁に設けられたことを特徴とする請求項４又は請求項５に記載の車椅子。
【発明の詳細な説明】
【０００１】
【発明の属する技術分野】
本発明は、介護を必要とする高齢者等の被介護者によって使用されて、前後方向へ移動する車椅子に関するものである。
【０００２】
【従来の技術】
この種の車椅子の従来例として、例えば特開平７−２３６６６０号公報に開示された図１５に示す構成のものが存在する。このものは、車椅子本体Ａと、車椅子本体Ａに支持された一対の前面支柱Ａ1，Ａ1と、車椅子本体Ａの前方両側へ設けられて被介護者の足を足のせ位置にて載置する一対のフットレストＣ，Ｃを備え、各フットレストＣは前面支柱Ａ1の下端部にて前後方向に跨設されるとともに、前後方向に沿って設けられた軸心Ｃ1を中心にして回動自在に支持される。
【０００３】
また、この種の車椅子の別の従来例として、図１６に示す構成のものが存在する。このものは、従来例と同一の車椅子本体Ａと、車椅子本体Ａの前方へ設けられて両足Ｂ，Ｂを足のせ位置にて載置するフットレストＣを備え、フットレストＣは前後方向へ移動可能となるよう形成される。
【０００４】
【発明が解決しようとする課題】
上記した従来例の、及び別の従来例の車椅子では、被介護者の足ＢをフットレストＣに載置した状態で被介護者を移動できるとともに、従来例では、フットレストＣを回動して直立させると、その直立したフットレストＣが乗り降りの際に邪魔にならず、折り畳み式の車椅子の場合には、折り畳んでコンパクトに納めることができる。また、別の従来例では、フットレストＣを車椅子本体Ａ側へ移動させ収納して、乗り降りの際に邪魔になることがない。
【０００５】
しかしながら、従来例の、及び別の従来例の車椅子では、各フットレストＣが互いに独立して前後方向へ移動可能ではない。したがって、例えば左足Ｂが曲がらず右足Ｂが健康な人の場合、左足Ｂ及び右足Ｂの足のせ位置を前後方向へずらしたいができず、身体症状に対応して足のせ位置を前後方向へ自由に設定できなかった。
【０００６】
また、従来例では、介護者は被介護者をベッド等から、又はベッド等へ移乗させる場合、直立したフットレストＣが邪魔になって、被介護者の近くに足をもっていくことができず、すなわち被介護者の近辺に近づいて移乗動作できない。したがって、無理な姿勢での移乗動作を行わざるを得ず、介護作業で腰を痛める等の問題があった。また、被介護者にとっても、直立したフットレストＣが移乗時に邪魔になる場合があった。
【０００７】
本発明は、上記問題点に鑑みてなしたもので、その目的とするところは、身体症状に対応して左右の足のせ位置を前後方向へそれぞれ自由に設定できる車椅子を提供することにある。
【０００８】
【課題を解決するための手段】
上記した課題を解決するために、請求項１記載のものは、車椅子本体１と、車椅子本体１の前方両側へそれぞれ設けられて足を足のせ位置にて載置する一対のフットレスト２を備え、少なくとも前後方向へ移動する車椅子において、各前記フットレスト２は中央片２１ａの両端から突設された一片２１ｂ及び他片２１ｃとで略コ字型に形成されたフットレストフレーム２１と、フットレストフレーム２１の一片２１ｂ及び他片２１ｃの基端部２１ｃ1間に架設された足のせ部２２とを設け、他片２１ｃの先端部２１ｃ2が車椅子本体１から前方へ向かって突設された突出管１３ｃの管内部に出入りして、互いに独立して前後方向へ移動可能となるよう形成され、前記フットレストフレーム２１は、前記足のせ部２２が略水平状態又は略垂直状態に位置するよう前記他片２１ｃが前記車椅子本体１の突出管１３ｃに回動自在に支持された構成にしてある。
【００１１】
請求項２記載のものは、請求項１記載のものにおいて、前記略水平状態に位置した足のせ部２２が所定寸法δを超えて移動することを阻止する移動阻止手段が、前記フットレストフレーム２１に設けられた構成にしてある。
【００１２】
請求項３記載のものは、請求項２記載のものにおいて、前記移動阻止手段は、底部２３ａに貫通孔２３ｂを設けた略有底筒状に形成されて、前記車椅子本体１から前方へ向かって突設された突出管１３ｃの一端部に固定された固定管２３と、前記フットレストフレーム２１の他片２１ｃに前記所定寸法δの間隔で突設されて、前記足のせ部２２が略垂直状態及び前記略水平状態でそれぞれ貫通孔２３ｂに挿通及び底部２３ａに当接する当接ピン２４とでもって形成された構成にしてある。
【００１３】
請求項４記載のものは、請求項１記載のものにおいて、長軸２１ｃ3及び短軸２１ｃ4を有して断面扁平状に形成された前記フットレストフレーム２１の他片２１ｃは、短軸２１ｃ4に沿った外周部２１ｃ7が前記突出管１３ｃの内周壁１３ｃ1に支持されるとともに、長軸２１ｃ3が前記足のせ部２２の水平状態及び垂直状態でそれぞれ略垂直及び略水平に位置するよう配置された構成にしてある。
【００１４】
請求項５記載のものは、請求項４記載のものにおいて、前記フットレストフレーム２１の他片２１ｃは前記短軸２１ｃ4に沿った外周部２１ｃ7が、略円形状に形成された前記突出管１３ｃの内周壁１３ｃ1に摺動するよう断面円弧状に形成された構成にしてある。
【００１６】
請求項６記載のものは、請求項４又は請求項５に記載のものにおいて、前記足のせ部２２の水平状態及び垂直状態で前記長軸２１ｃ3に沿った他片２１ｃの外周部端部にそれぞれ当接する当接突起１３ｃ4は、前記突出管１３ｃの内周壁１３ｃ1に設けられた構成にしてある。
【００１７】
【発明の実施の形態】
本発明の第１実施形態を図１乃至図４に基づいて以下に説明する。
【００１８】
１は車椅子本体で、座板１１を設け、一対の上部フレーム１２、及び一対の下部フレーム１３が、座板１１の前後方向に沿った両側から上方及び下方に向かって、それぞれ突設される。ここで、各下部フレーム１３が管状に形成され、２本で構成されて、一方の下部フレーム１３が座板１１に固着される座板管１３ａと、その座板管１３ａから下方へ向かって折曲形成された中間管１３ｂと、その中間管１３ｂから前方へ向かって突設された突出管１３ｃとを有して略コ字型に形成されて、車輪１４が突出管１３ｃ及び他方の下部フレーム１３にそれぞれ２個ずつ取り付けられて、少なくとも前後方向へ移動する。
【００１９】
２はフットレストで、一対で構成され、車椅子本体１の前後方向へ沿った両側へそれぞれ設けられる。各フットレスト２はフットレストフレーム２１と足のせ部２２とを設け、フットレストフレーム２１が中央片２１ａと、その中央片２１ａの一端から突設された一片２１ｂと、他端から突設して基端部２１ｃ1及び先端部２１ｃ2を有した他片２１ｃとで略コ字型に形成されるとともに、足のせ部２２がフットレストフレーム２１の一片２１ｂ、及び他片２１ｃの基端部２１ｃ1間に架設されて、足を足のせ位置にて載置する。
【００２０】
そして、他片２１ｃの先端部２１ｃ2が車椅子本体１から突設された突出管１３ｃの管内部に挿入され出入りして、互いに独立して前後方向へ移動可能となるようにする。さらに、他片２１ｃの先端部２１ｃ2が突出管１３ｃに回動自在に支持されて、中央片２１ａが他片２１ｃを回動軸とし回動する。
【００２１】
このものの動作を図１、図３及び図４に基づいて説明する。図１に示すように、先ず各フットレスト２は他片２１ｃの先端部２１ｃ2が突出管１３ｃの管内部に出入りして、互いに独立して前方方向へ移動し、一方の足のせ部２２ａが他方の足のせ部２２ｂに比較して前方へ設定されて、それぞれが略水平状態に位置する。そして、被介護者は座板１１に腰掛けると、右足が左足に比較して前方へ位置した状態で足を足のせ部２２に載置して、身体症状又は体格に対応して、足のせ部２２を移動させて足のせ位置を前後方向へ自由に設定する。
【００２２】
次いで、図３に示すように、各フットレスト２はフットレストフレーム２１の中央片２１ａが、突出管１３ｃに支持された他片２１ｃを回動軸として約９０度回動されて、足のせ部２２が略垂直状態に位置する。そして、フットレストフレーム２１の他片２１ｃ先端部２１ｃ2が、突出管１３ｃの管内部に車椅子本体１側へ移動して、被介護者の足下位置に比較して車椅子本体１側へ、すなわち座板１１の下方へ収納される。したがって、介護者は各フットレスト２を邪魔にすることなく被介護者の近くに足を位置させて、楽な姿勢で容易に被介護者をベッド等から移乗させる。
【００２３】
かかる第１実施形態の車椅子にあっては、上記したように、各フットレスト２が互いに独立して前後方向へ移動可能となるから、例えば一方のフットレスト２の位置を他方のフットレスト２に比較して前方へ設定し、例えば被介護者の右足を左足に比較して前方へ位置させた状態で両足を各フットレスト２に載置して、すなわち、各フットレスト２の足のせ位置を身体症状又は体格に対応し互いに独立して前後方向へ自由に設定して、被介護者を楽な姿勢で移動させることができる。
【００２４】
また、各フットレスト２が中央片２１ａ、一片２１ｂ及び他片２１ｃで略コ字型に形成されたフットレストフレーム２１と、フットレストフレーム２１の一片２１ｂ及び他片２１ｃの基端部２１ｃ1間に架設された足のせ部２２とを設け、他片２１ｃの先端部２１ｃ2が車椅子本体１から突設された突出管１３ｃの管内部に出入りして移動するから、各フットレスト２が互いに独立して前後方向へ移動可能となる構成を、容易にかつ安価に実現することができる。
【００２５】
また、フットレストフレーム２１の他片２１ｃが車椅子本体１の突出管１３ｃに回動自在に支持されたから、フットレスト２を使用時に、足のせ部２２が水平状態に位置するよう中央片２１ａを回動させて足を足のせ部２２に載置し、フットレスト２を非使用時に、足のせ部２２が垂直状態に位置するよう中央片２１ａを回動させ、他片２１ｃの先端部２１ｃ2を突出管１３ｃの管内部に挿入してフットレストフレーム２１を車椅子本体１側へ移動させて、垂直に直立したフットレスト２が被介護者の足下に位置して邪魔になった従来と異なって、介護者が被介護者の近くに足を位置させて、安定した姿勢で容易に被介護者をベッド等から移乗させることができる。
【００２６】
なお、第１実施形態では、フットレストフレーム２１の他片２１ｃの先端部２１ｃ2が、車椅子本体１から突設された突出管１３ｃの管内部に出入りして、各フットレスト２が移動するものとしたが、図５及び図６に示すように、他片２１ｃの先端部２１ｃ2が突出管１３ｃの管内部に出入りするのではなく、他の方法によって、各フットレスト２が互いに独立して前後方向へ移動可能となるよう形成してもよく、限定されない。
【００２７】
本発明の第２実施形態を図７及び図８に基づいて以下に説明する。なお、第２実施形態では第１実施形態と異なる機能について述べることとし、第１実施形態と実質的に同一機能を有する部材については、同一符号を付して説明を省略する。
【００２８】
第２実施形態では、移動阻止手段がフットレストフレーム２１に設けられて、固定管２３及び複数の当接ピン２４でもって形成される。すなわち、底部２３ａに貫通孔２３ｂを設けて略有底筒状に形成された固定管２３が、車椅子本体１の突出管１３ｃの一端部に固定されるとともに、複数の当接ピン２４が所定寸法δの間隔でフットレストフレーム２１の他片２１ｃに突設される。
【００２９】
このものの動作を説明する。先ず、図７に示すように、各フットレスト２は足のせ部２２が略垂直状態で、固定管２３の底部２３ａに貫通孔２３ｂを設けているので、当接ピン２４が底部２３ａに当接することなく挿通され、フットレストフレーム２１の他片２１ｃが、突出管１３ｃの管内部から引き出されて前方方向へ移動する。そして、図８に示すように、フットレストフレーム２１の中央片２１ａが他片２１ｃを回動軸として約９０度回動されて、足のせ部２２及び当接ピン２４が略水平状態に位置する。この状態で各フットレスト２は車椅子本体１側へ押圧されて移動したとき、当接ピン２４が固定管２３の底部２３ａに当接して、所定寸法δを超えて移動することがない。
【００３０】
かかる第２実施形態の車椅子にあっては、上記したように、所定寸法δを超えた足のせ部２２の移動を阻止する移動阻止手段がフットレストフレーム２１に設けられたから、足のせ部２２が略水平状態で車椅子本体１側へ押圧されても、所定寸法δを超えて移動することがなく、被介護者を安全に移動させることができる。
【００３１】
また、移動阻止手段が底部２３ａに貫通孔２３ｂを設けて突出管１３ｃの一端部に固定された固定管２３と、フットレストフレーム２１の他片２１ｃに所定寸法δの間隔で突設された当接ピン２４とでもって形成されたから、当接ピン２４が足のせ部２２の略垂直状態で固定管２３の貫通孔２３ｂに挿通されるとともに、略水平状態で固定管２３の底部２３ａに当接して、足のせ部２２が略水平状態で所定寸法δを超えた移動を、簡単な構成で容易に阻止することができる。
【００３２】
なお、第２実施形態では、移動阻止手段を固定管２３及び当接ピン２４でもって形成したが、他の方法で形成してもよく、限定されない。
【００３３】
本発明の第３実施形態を図９及び図１０に基づいて以下に説明する。なお、第３実施形態では第１実施形態と異なる機能について述べることとし、第１実施形態と実質的に同一機能を有する部材については、同一符号を付して説明を省略する。
【００３４】
突出管１３ｃは内周壁１３ｃ1が略円形状に形成されるとともに、略Ｌ字型に形成されて第１当接面１３ｃ2及び第２当接面１３ｃ3を有した当接突起１３ｃ4が、互いに対向した状態で内周壁１３ｃ1から２個それぞれ突設される。
【００３５】
フットレストフレーム２１の他片２１ｃは長軸２１ｃ3及び短軸２１ｃ4を有して断面扁平状に形成され、長軸２１ｃ3に沿った一方外周部２１ｃ5及び他方外周部２１ｃ6がそれぞれ断面略直線状に、短軸２１ｃ4に沿った外周部２１ｃ7が断面円弧状にそれぞれ形成される。そして、図９に示すように、長軸２１ｃ3が足のせ部２２の水平状態で垂直に、図１０に示すように、足のせ部２２の垂直状態で水平にそれぞれ位置するよう配置されて、短軸２１ｃ4に沿った外周部２１ｃ7が突出管１３ｃの内周壁１３ｃ1に摺動自在に支持されて回動する。
【００３６】
また、図９に示すように、足のせ部２２の水平状態で、一方外周部２１ｃ5及び他方外周部２１ｃ6における互いに対向した各一端部が当接突起１３ｃ4の第１当接面１３ｃ2に、図１０に示すように、足のせ部２２の垂直状態で、一方外周部２１ｃ5及び他方外周部２１ｃ6における互いに対向した各他端部が第２当接面１３ｃ3にそれぞれ当接する。すなわち、当接突起１３ｃ4は足のせ部２２の水平状態、及び垂直状態で長軸２１ｃ3に沿った他片２１ｃの外周部一端部にそれぞれ当接する。
【００３７】
かかる第３実施形態の車椅子にあっては、上記したように、フットレストフレーム２１の他片２１ｃが長軸２１ｃ3及び短軸２１ｃ4を有して断面扁平状に形成されるとともに、その長軸２１ｃ3が足のせ部２２の水平状態及び垂直状態で垂直及び水平にそれぞれ位置するから、水平状態の足のせ部２２に足をのせて荷重が他片２１ｃに負荷されたとき、他片２１ｃの長軸２１ｃ3が垂直に配置されているので、短軸２１ｃ4に沿った外周部２１ｃ7間の肉厚が厚くなって、突出管１３ｃに支持された他片２１ｃが撓みにくく、フットレストフレーム２１の変形を阻止することができる。
【００３８】
さらに、足のせ部２２が垂直状態であって収納されたとき、長軸２１ｃ3に沿った一方外周部２１ｃ5及び他方外周部２１ｃ6間の肉厚が薄くなっても、荷重が足のせ部２２つまり他片２１ｃに負荷されないので、その他片２１ｃに変形を生じることがない。
【００３９】
また、突出管１３ｃの内周壁１３ｃ1が円形状に形成されるとともに、短軸２１ｃ4に沿った外周部２１ｃ7が断面円弧状に形成されて内周壁１３ｃ1に摺動するから、足のせ部２２に足をのせた時の荷重が外周部２１ｃ7の円弧面全面に負荷されて、短軸２１ｃ4に沿った外周部２１ｃ7に発生する損傷を阻止することができる。
【００４０】
また、当接突起１３ｃ4が突出管１３ｃの内周壁１３ｃ1に設けられて、足のせ部２２の垂直状態及び水平状態で、長軸２１ｃ3に沿った他片２１ｃの一方外周部及び他方外周部における一端部にそれぞれ当接するから、足のせ部２２の垂直状態及び水平状態を越えた他片２１ｃの回動を阻止して、足のせ部２２の位置決めを簡単な構成で実現することができる。
【００４１】
なお、第３実施形態では、当接突起１３ｃ4を互いに対向した状態で内周壁１３ｃ1から２個それぞれ突設したが、１個であってもよく限定されない。
【００４２】
本発明の第４実施形態を図１１乃至図１４に基づいて以下に説明する。なお、第４実施形態では第３実施形態と異なる機能について述べることとし、第３実施形態と実質的に同一機能を有する部材については、同一符号を付して説明を省略する。
【００４３】
３は軸受け部で、摩擦抵抗の小さい樹脂により、突出管１３ｃの内部に挿入されて、突出管１３ｃの内周壁１３ｃ1を形成する。
【００４４】
かかる第４実施形態の車椅子にあっては、上記したように、突出管１３ｃの内周壁１３ｃ1が摩擦抵抗の小さい樹脂でもって形成されたから、短軸２１ｃ4に沿った外周部２１ｃ7が内周壁１３ｃ1に摺動する時の摩擦抵抗を小さくして、内周壁１３ｃ1の磨耗を軽減できるとともに、フットレストフレーム２１の他片２１ｃを滑らかに回動させることができる。
【００４５】
【発明の効果】
請求項１記載のものは、各フットレストが互いに独立して前後方向へ移動可能となるから、例えば一方のフットレストの位置を他方のフットレストに比較して前方へ設定し、例えば被介護者の左足を右足に比較して前方へ位置させた状態で両足を各フットレストに載置して、すなわち各フットレストの足のせ位置を身体症状又は体格に対応し互いに独立して前後方向へ自由に設定して、被介護者を楽な姿勢で移動させることができる。
【００４６】
また、請求項１記載のものは、上記効果に加えて、各フットレストが中央片、一片及び他片で略コ字型に形成されたフットレストフレームと、フットレストフレームの一片及び他片の基端部間に架設された足のせ部とを設け、他片の先端部が車椅子本体から突設された突出管の管内部に出入りして移動するから、各フットレストが互いに独立して前後方向へ移動可能となる構成を、容易にかつ安価に実現することができる。
【００４７】
また、請求項１記載のものは、上記効果に加えて、フットレストフレームの他片が車椅子本体の突出管に回動自在に支持されたから、フットレストを使用時に、足のせ部が水平状態に位置するよう中央片を回動させて足を足のせ部に載置し、フットレストを非使用時に、足のせ部が垂直状態に位置するよう中央片を回動させ、他片の先端部を突出管の管内部に挿入してフットレストフレームを車椅子本体側へ移動させて、垂直に直立したフットレストが被介護者の足下に位置して邪魔になった従来と異なって、介護者が被介護者の近くに足を位置させて、安定した姿勢で容易に被介護者をベッド等から移乗させることができる。
【００４８】
請求項２記載のものは、請求項１記載のものの効果に加えて、所定寸法を超えて足のせ部が移動することを阻止する移動阻止手段がフットレストフレームに設けられたから、足のせ部が略水平状態で車椅子本体側へ押圧されても、所定寸法を超えて移動することがなく、被介護者を安全に移動させることができる。
【００４９】
請求項３記載のものは、請求項２記載のものの効果に加えて、移動阻止手段が底部に貫通孔を設けて突出管の一端部に固定された固定管と、フットレストフレームの他片に所定寸法の間隔で突設された当接ピンとでもって形成されたから、当接ピンが足のせ部の略垂直状態で固定管の貫通孔に挿通するとともに、略水平状態で固定管の底部に当接して、足のせ部が略水平状態で所定寸法を超えた移動を、簡単な構成で容易に阻止することができる。
【００５０】
請求項４記載のものは、請求項１記載のものの効果に加えて、フットレストフレームの他片が長軸及び短軸を有して断面扁平状に形成されるとともに、その長軸が足のせ部の水平状態及び垂直状態で垂直及び水平にそれぞれ位置するから、水平状態の足のせ部に足をのせて荷重が他片に負荷されたとき、他片の長軸が垂直に配置されているので、短軸に沿った外周部間の肉厚が厚くなって、突出管に支持された他片が撓みにくく、フットレストフレームの変形を阻止することができる。
【００５１】
請求項５記載のものは、請求項４記載のものの効果に加えて、突出管の内周壁が円形状に形成されるとともに、短軸に沿った他片の外周部が断面円弧状に形成されて内周壁に摺動するから、足のせ部に足をのせた時の荷重が外周部の円弧面全面に負荷されて、短軸に沿った外周部に発生する損傷を阻止することができる。
【００５３】
請求項６記載のものは、請求項４又は請求項５に記載のものの効果に加えて、当接突起が突出管の内周壁に設けられて、足のせ部の垂直状態及び水平状態で長軸に沿った他片の外周部一端部に当接するから、足のせ部の垂直状態及び水平状態を越えた他片の回動を阻止して、足のせ部の位置決めを簡単な構成で実現することができる。
【図面の簡単な説明】
【図１】本発明の第１実施形態を示す一対のフットレストの斜視図である。
【図２】同上の側面図である。
【図３】同上の一対のフットレストが突出管の管内部から引出された状態の斜視図である。
【図４】同上の一対のフットレストが突出管の管内部に挿入された状態の斜視図である。
【図５】同上の別の実施例を表す正面図である。
【図６】同上の別の実施例を表す平面図である。
【図７】本発明の第２実施形態を示す足のせ部が略垂直に位置したフットレストの斜視図である。
【図８】本発明の第２実施形態を示す足のせ部が略水平に位置したフットレストの斜視図である。
【図９】本発明の第３実施形態を示す（ａ）は足のせ部が水平状態で、フットレストフレームの他片が車椅子本体の突出管に支持された状態の正断面図、（ｂ）は水平状態に保持された足のせ部の正面図である。
【図１０】同上の（ａ）は足のせ部が垂直状態でフットレストフレームの他片が車椅子本体の突出管に支持された状態の正断面図、（ｂ）は垂直状態に保持された足のせ部の正面図である。
【図１１】本発明の第４実施形態を示す足のせ部が水平状態で、フットレストフレームの他片が車椅子本体の突出管に支持された状態の正断面図である。
【図１２】同上の足のせ部が水平状態で、フットレストフレームの他片が車椅子本体の突出管に支持された状態の側面図である。
【図１３】同上の足のせ部が水平状態で、フットレストフレームの他片が車椅子本体の突出管に支持された状態の斜視図である。
【図１４】同上の足のせ部が垂直状態で、フットレストフレームの他片が車椅子本体の突出管に支持された状態の斜視図である。
【図１５】従来例を示す斜視図である。
【図１６】別の従来例を示す斜視図である。
【符号の説明】
１  車椅子本体
１３ｃ  突出管
１３ｃ1  内周壁
１３ｃ4  当接突起
２  フットレスト
２１  フットレストフレーム
２１ａ  中央片
２１ｂ  一片
２１ｃ  他片
２１ｃ1  基端部
２１ｃ2  先端部
２１ｃ3  長軸
２１ｃ4  短軸
２１ｃ5  一方外周部（長軸に沿った外周部）
２１ｃ６  他方外周部（長軸に沿った外周部）
２１ｃ7  短軸に沿った外周部
２２  足のせ部
２３  固定管（移動阻止手段）
２３ａ  底部
２３ｂ  貫通孔
２４  当接ピン（移動阻止手段）
δ  所定寸法
【図１】
0004000679.tif 000002
【図２】
0004000679.tif 000003
【図３】
0004000679.tif 000004
【図４】
0004000679.tif 000005
【図５】
0004000679.tif 000006
【図６】
0004000679.tif 000007
【図７】
0004000679.tif 000008
【図８】
0004000679.tif 000009
【図９】
0004000679.tif 000010
【図１０】
0004000679.tif 000011
【図１１】
0004000679.tif 000012
【図１２】
0004000679.tif 000013
【図１３】
0004000679.tif 000014
【図１４】
0004000679.tif 000015
【図１５】
0004000679.tif 000016
【図１６】
0004000679.tif 000017